(57)【特許請求の範囲】
【請求項１】
圧縮機、凝縮器及び蒸発器を備えた圧縮式冷凍機、又は再生器、凝縮器、蒸発器及び吸収器を有した吸収式冷凍機を有する冷凍システムにおける汚れ監視方法であって、
前記凝縮器に冷却水を循環流通させる冷却水ラインの汚れを監視する方法において、
該冷凍システムの消費エネルギー指標値と、
前記蒸発器又は凝縮器の負荷をそれぞれ継続して計測し、この計測結果に基づいて前記冷却水ラインの汚れを監視し、
前記消費エネルギー指標値は前記圧縮機の電流値又は電力値であり、
前記負荷は、該蒸発器で冷却される冷媒の蒸発器流入温度と流出温度との差であり、
前記計測結果に基づいて、前記冷却水ラインの洗浄前における負荷と消費エネルギー指標値との関係と、冷却水ラインの洗浄後における負荷と消費エネルギー指標値との関係とをそれぞれ求め、
各関係に基づいて、負荷を同一とした条件下での消費エネルギー指標値（以下、負荷同一消費エネルギー指標値という。）をそれぞれ求め、洗浄前の負荷同一消費エネルギー指標値と洗浄後の負荷同一消費エネルギー指標値を監視することを特徴とする冷凍システムにおける冷却水ラインの汚れ監視方法。
【請求項２】
圧縮機、凝縮器及び蒸発器を備えた圧縮式冷凍機、又は再生器、凝縮器、蒸発器及び吸収器を有した吸収式冷凍機を有する冷凍システムにおける汚れ監視方法であって、
前記凝縮器に冷却水を循環流通させる冷却水ラインの汚れを監視する方法において、
該冷凍システムの消費エネルギー指標値と、
前記蒸発器又は凝縮器の負荷をそれぞれ継続して計測し、この計測結果に基づいて前記冷却水ラインの汚れを監視し、
前記消費エネルギー指標値は前記再生器の消費熱源量であり、
前記負荷は、該蒸発器で冷却される冷媒の蒸発器流入温度と流出温度との差であり、
前記計測結果に基づいて、前記冷却水ラインの洗浄前における負荷と消費エネルギー指標値との関係と、冷却水ラインの洗浄後における負荷と消費エネルギー指標値との関係とをそれぞれ求め、
各関係に基づいて、負荷を同一とした条件下での消費エネルギー指標値（以下、負荷同一消費エネルギー指標値という。）をそれぞれ求め、洗浄前の負荷同一消費エネルギー指標値と洗浄後の負荷同一消費エネルギー指標値を監視することを特徴とする冷凍システムにおける冷却水ラインの汚れ監視方法。
【請求項３】
請求項１又は２において、前記負荷同一消費エネルギー指標値と予め設定した負荷同一消費エネルギー指標値の上限値との差から洗浄までの日数を予測することを特徴とする冷凍システムにおける冷却水ラインの汚れ監視方法。
【請求項４】
請求項１又は２において、前記負荷同一消費エネルギー指標値が予め設定して負荷同一消費エネルギー指標値の上限値に達したときに冷却水ラインの洗浄を行うことを特徴とする冷凍システムにおける冷却水ラインの汚れ監視方法。
【発明の詳細な説明】
【技術分野】
【０００１】
本発明は、圧縮式冷凍機又は吸収式冷凍機を備えた冷凍システムの汚れを監視する方法に関するものであり、詳しくは、該冷凍機の凝縮器に冷却水を循環流通させるときの冷却水ラインの汚れを監視する方法に関するものである。
【背景技術】
【０００２】
各種工場、ビル等では、冷凍機等の各種の熱交換器を含む水系が設けられ、冷却水と被冷却体とを熱交換器を介して接触させて、被冷却体を冷却（場合により潜熱を奪うのみのものも含む）している。例えば、ビル等に設けられた冷凍機では被冷却体としてフロンや水等の冷媒が用いられ、また、冷凍機以外でも、例えばコンビナート等では各種熱交換器が使用され、被冷却体として、空気、油性物質、各種有機物が用いられている。
【０００３】
冷凍機等の熱交換器を含む系のうち、これら被冷却体の凝縮を伴うものは凝縮器と称され、被冷却体の凝縮を伴わないものは冷却器と称される。
【０００４】
以下においては、主に凝縮を伴う圧縮式冷凍機を例示して説明を行うが、本発明は圧縮式冷凍機に限らず、熱交換器全般に適用可能である。
【０００５】
近年、冷却水系においては、節水を図るために、冷却水がより高濃縮、低流速で運転されるようになってきているが、このような運転条件下では、冷却水の蒸発に伴うイオン成分が濃縮し、スケールが析出して冷凍機内に付着することがある。また、微生物が冷却水中で繁殖し、スライムが冷凍機内に付着することもある。
【０００６】
このようなスケールやスライム等の汚れの付着により、被冷却体から冷却水への伝熱が阻害される。これにより、凝縮器においては、被冷却体凝縮量が減少する、圧力が上昇する、被冷却体温度が上昇し、圧縮機の負荷が上昇し、高圧カット（一定以上で圧縮機が停止する。）に到る、等の事態が生じることがある。また、冷凍能力が低下し、消費電力量が増加するため、エネルギー効率が低下する。
【０００７】
このため、冷凍機においては、汚れの付着状況を正確に推定し、その状況に応じて、冷却水にスケール洗浄剤やスライム洗浄剤を適切に添加して、洗浄を行なう必要がある。
【０００８】
特許文献１の通り、冷凍機の熱交換効率を知る指標として、Ｕ値（総括伝熱係数）や汚れ係数があるが、計算が煩雑である。また、単位が［℃］ではなく、これらの値のみから、直ちに高圧カットに到るか否かを判断することは難しい。更に、この判断を行うためには、汚れが付着していない正常な状態での計測値が必要となる。
【０００９】
このため、特許文献２に記載の通り、実際には、下記式で求められるＬＴＤ（Ｌｅａｖｉｎｇ  Ｔｅｍｐｅｒａｔｕｒｅ  Ｄｉｆｆｅｒｅｎｃｅ）やＡＴＤ（Ａｐｐｒｏａｃｈ  Ｔｅｍｐｅｒａｔｕｒｅ  Ｄｉｆｆｅｒｅｎｃｅ）が用いられている。
【００１０】
ＬＴＤ＝被冷却体の冷却後の温度−冷却水出口温度
ＡＴＤ＝被冷却体の冷却後の温度−冷却水入口温度
この被冷却体の冷却後の温度は、被冷却体の熱交換器出口温度として測定することができる。
【００１１】
一般に、圧縮式冷凍機では、熱交換が不十分になると被冷却体の冷却後の温度（この場合凝縮温度）が上昇し、一定レベルを超えると高圧カットを引き起こし、稼働不能となるため、ＬＴＤ，ＡＴＤで状況を判断することが可能である。即ち、上記２式から、ＡＴＤ＝ＬＴＤ＋（冷却水出口温度−冷却水入口温度）の関係式が得られ、これから求められるＡＴＤ（又はＬＴＤ）は温度を単位とするため、この温度と既知の被冷却体凝縮温度とを比較することにより、高圧カットが生じるか否かを直ちに判断することができる。
【００１２】
なお、このＡＴＤ，ＬＴＤは、汚れの他に負荷変動の影響を強く受けるところから、特許文献２には、このＬＴＤ，ＡＴＤを補正し、補正ＬＴＤ値又は補正ＡＴＤ値と基準値とを比較して熱交換器の汚れを監視することが記載されている。
【先行技術文献】
【特許文献】
【００１３】
【特許文献１】特開２００３−３２２４９４
【特許文献２】特開平７−２１８１８８
【発明の概要】
【発明が解決しようとする課題】
【００１４】
熱交換器の汚れ状態を推定する指標値としてＬＴＤ，ＡＴＤおよび補正ＬＴＤ、補正ＡＴＤを用いる方法では、温度計の取り付け位置や冷却機械の仕様・型式等で絶対数値が影響を受けるため、汚れを監視するには、長期的にＬＴＤ，ＡＴＤおよび補正ＬＴＤ、補正ＡＴＤを収集・蓄積し、その増加傾向による、汚れ指標を把握する必要がある。そのため、汚れの増加傾向を把握するためには少なくとも２週間程度の期間が必要で、その期間短縮が求められていた。
【００１５】
本発明は、冷凍システムの冷却水ラインの汚れを簡易に正確に求めることができる汚れ監視方法を提供することを目的とする。
【００１６】
また、本発明は、その一態様において、汚れを示す指標値が簡明である汚れ監視方法を提供することを目的とする。
【課題を解決するための手段】
【００１７】
本発明の一態様による冷却水ラインの汚れ監視方法は、圧縮機、凝縮器及び蒸発器を備えた圧縮式冷凍機、又は再生器、凝縮器、蒸発器及び吸収器を有した吸収式冷凍機を有する冷凍システムにおける汚れ監視方法であって、前記凝縮器に冷却水を循環流通させる冷却水ラインの汚れを監視する方法において、該冷凍システムの消費エネルギー指標値と、前記蒸発器又は凝縮器の負荷をそれぞれ継続して計測し、この計測結果に基づいて前記冷却水ラインの汚れを監視し、前記消費エネルギー指標値は前記圧縮機の電流値又は電力値であり、前記負荷は、該蒸発器で冷却される冷媒の蒸発器流入温度と流出温度との差であり、前記計測結果に基づいて、前記冷却水ラインの洗浄前における負荷と消費エネルギー指標値との関係と、冷却水ラインの洗浄後における負荷と消費エネルギー指標値との関係とをそれぞれ求め、各関係に基づいて、負荷を同一とした条件下での消費エネルギー指標値（以下、負荷同一消費エネルギー指標値という。）をそれぞれ求め、洗浄前の負荷同一消費エネルギー指標値と洗浄後の負荷同一消費エネルギー指標値を監視することを特徴とするものである。
【００１８】
本発明の一態様による冷凍システムにおける冷却水ラインの汚れ監視方法は、圧縮機、凝縮器及び蒸発器を備えた圧縮式冷凍機、又は再生器、凝縮器、蒸発器及び吸収器を有した吸収式冷凍機を有する冷凍システムにおける汚れ監視方法であって、前記凝縮器に冷却水を循環流通させる冷却水ラインの汚れを監視する方法において、該冷凍システムの消費エネルギー指標値と、前記蒸発器又は凝縮器の負荷をそれぞれ継続して計測し、この計測結果に基づいて前記冷却水ラインの汚れを監視し、前記消費エネルギー指標値は前記再生器の消費熱源量であり、前記負荷は、該蒸発器で冷却される冷媒の蒸発器流入温度と流出温度との差であり、前記計測結果に基づいて、前記冷却水ラインの洗浄前における負荷と消費エネルギー指標値との関係と、冷却水ラインの洗浄後における負荷と消費エネルギー指標値との関係とをそれぞれ求め、各関係に基づいて、負荷を同一とした条件下での消費エネルギー指標値（以下、負荷同一消費エネルギー指標値という。）をそれぞれ求め、洗浄前の負荷同一消費エネルギー指標値と洗浄後の負荷同一消費エネルギー指標値を監視することを特徴とするものである。
【００２２】
本発明の一態様による冷凍システムにおける冷却水ラインの汚れ監視方法は、前記負荷同一消費エネルギー指標値と予め設定した負荷同一消費エネルギー指標値の上限値との差から洗浄までの日数を予測することを特徴とするものである。
【００２３】
本発明の一態様による冷凍システムにおける冷却水ラインの汚れ監視方法は、前記負荷同一消費エネルギー指標値が予め設定して負荷同一消費エネルギー指標値の上限値に達したときに冷却水ラインの洗浄を行うことを特徴とするものである。
【発明の効果】
【００２４】
圧縮機、凝縮器、膨張弁及び蒸発器を備えた圧縮式冷凍機においては、圧縮機で圧縮された蒸気が凝縮器で冷却され、膨張弁等を経て蒸発器で蒸発し、冷媒と熱交換した後、圧縮機に戻る。
【００２５】
凝縮器の冷却水ラインには冷却水が通水されており、この冷却水は該ラインに設けられた冷却塔などによって冷却される。この冷却水ラインの汚れが増加してくると、蒸発器に流入する冷媒の温度と蒸発器から流出する冷媒の温度との差を所定値とするための圧縮機通電量が増加する。従って、この蒸発器の冷媒の流入、流出温度差を所定値とするための、圧縮機の電流値又は電力値を求め、この電流値又は電力値を継続的に計測することにより、冷却水ラインの汚れ状況を監視することができる。
【００２６】
吸収式冷凍機の場合は、再生器で加熱されて気化した蒸気を凝縮器で冷却して凝縮させ、この凝縮水を蒸発器に供給する。この凝縮器に設けられた冷却水ラインの汚れが増加してくると、圧縮式冷凍機の場合と同様に、蒸発器の冷媒の流入、流出温度差を所定値とするための再生器の燃料消費量が増加する。従って、この蒸発器の冷媒の流入、流出温度差を所定値とするための再生器燃料消費量を求め、この燃料消費量を継続的に計測することにより、冷却水ラインの汚れ状況を監視することができる。
【００２７】
本発明では、この消費エネルギー指標値の長期的な傾向を把握し、消費エネルギー指標値が予め設定された所定値に到達するまでの日数を予測したり、消費エネルギー指標値が該所定値に到達したときに冷却水ラインを洗浄する。
【００２８】
なお、上記の電流値又は電力値や再生器燃料消費量以外のデータであっても、これと同様のものであれば消費エネルギー指標値として採用することができる。
【００２９】
また、凝縮器の冷媒の流入、流出温度差以外のデータであっても、負荷を示すものであれば採用することができる。
【図面の簡単な説明】
【００３０】
【図１】圧縮式冷凍システムのフロー図である。
【図２】負荷と圧縮機電流値との関係を示すグラフである。
【図３】圧縮機電流値の経時変化を示すグラフである。
【図４】データ処理のためのブロック図である。
【図５】吸収式冷凍システムのフロー図である。
【発明を実施するための形態】
【００３１】
以下、本発明についてさらに詳細に説明する。
【００３２】
図１は圧縮式冷凍システムの一例を示すフロー図である。冷凍機１は、圧縮機２によって媒体（例えばＨＦＣ（ハイドロフルオロカーボン）系、ＨＣＦＣ（ハイドロクロロフルオロカーボン）系、ＣＦＣ（クロロフルオロカーボン）系）を圧縮し、凝縮器３に導き、凝縮させる。凝縮器３の伝熱管（冷却コイル）３ａには、冷却塔６で冷却された冷却水がポンプ７を介して循環通水される。
【００３３】
凝縮した液は、膨張弁４を介して蒸発器５に導入され、蒸発して断熱膨張し、伝熱コイル５ａ内を流れる冷媒（この実施の形態では水）を冷却する。蒸気は圧縮機２に送られ、再び圧縮される。伝熱コイル５ａには、負荷体９で熱交換器して昇温した水がポンプ８を介して通水され、冷却された冷水が負荷体９に循環通水される。伝熱管３ａ、冷却塔６、ポンプ７、及び配管類によって冷却水ラインが構成されている。
【００３４】
この実施の形態では、圧縮機２への通電電流値Ｉと、蒸発器５への冷水の流入温度Ｔ１及び流出温度Ｔ２とを計測し、電流値と温度差ΔＴ（＝Ｔ１−Ｔ２）との関係を求め、その結果をプロットする。
【００３５】
第２図はその一例を示すグラフであり、図示の通り、ΔＴと電流値Ｉとの間には相関関係が存在する。即ち、温度差ΔＴを大きくするには電流値を増大させる必要があり、温度差ΔＴが小さくて済むときには電流値は小さくて足りる。短期（数時間〜２日間程度）的には、ΔＴと電流値Ｉとの相関関係をＩ＝ａ・ΔＴ＋ｂの式で近似する事ができる。ａ，ｂは定数であり、冷却水ラインの汚れの程度によって定まる。
【００３６】
運転を継続することにより、冷却水ラインの伝熱管にスケールやスライムが付着してくると、伝熱ロスが生じるので、同一ΔＴとするための電流値Ｉが増大し、上記式のｂ値が増大する。ａ値は殆ど変化しないか、又は若干小さくなる。
【００３７】
そこで、現時点での所定のΔＴとするための電流値Ｉを図２のグラフから読みとり、洗浄後の同一ΔＴ値における電流値Ｉと対比することにより、冷却水ラインの伝熱管３ａの汚れを監視することができる。
【００３８】
例えば、ΔＴの所定値を２．５℃とした場合、洗浄直後はΔＴ＝２．５℃とするための電流値Ｉは２１．８Ａであり、それから２２０日経過したときのΔＴ＝２．５℃とするための電流値Ｉは２２．９Ａであり、両者の差ΔＩ＝１．１Ａ分だけ冷却水ラインに汚れが付着しているものと判定することができる。当然ながら、洗浄からの日数が経過するほどこのΔＩ値が大きくなる。
【００３９】
本発明では、このΔＴ＝２．５℃とするための電流値Ｉと経過日数とをグラフにプロットし、ΔＩの経時的な増加を監視する。図３はその一例である。そして、ΔＴ＝２．５℃とするための電流値Ｉが予め設定された上限値に達するまでの残りの日数を予測したり、実際にΔＴ＝２．５℃とするための電流値Ｉが該上限値に到達したときに洗浄を行ったりするようにこのグラフを活用する。なお、図３において、ΔＴ＝２．５℃とするための電流値Ｉは１日当り０．００５℃上昇している。
【００４０】
この方法によれば、５〜１００日、特に７〜３０日に１回の頻度で、１回当りそれぞれ１〜２時間程度（１〜１５分に１回の頻度でデータ採取）ΔＴ，Ｉを計測することにより汚れ監視を行うことができる。
【００４１】
上記上限値は、経験的に定めるのが好ましい。例えば、同一メーカーの同一型番の冷凍機に関する運転実績を蓄積し、それに基づいて好適な上限値を型番ごとに設定する。
【００４２】
なお、この説明では電流値Ｉを消費エネルギー指標値としているが電流値を圧縮機２の電圧データを用いて電力量に換算することができ、汚れによる電力ロス量も簡単に求めることができる。さらに、消費電力量から、電気代やＣＯ２削減量などもそれぞれの換算係数を用いて変換することも容易である。
【００４３】
上記の例では、蒸発器５における冷水入口及び出口の温度Ｔ１，Ｔ２の温度差ΔＴを負荷としているが、この温度差ΔＴと冷水流量とを乗じた値を負荷とすれば、より高精度の監視が可能である。ただし、実際には冷水流量は一定であることが多いので、ΔＴを負荷とすることで足りる。凝縮器３における冷却水の入口及び出口温度Ｔ３，Ｔ４の差を負荷相当量としてもよい。
【００４４】
なお、冷却水ラインの洗浄を行うには、例えば洗浄剤を循環冷却水ラインに添加すればよい。冷却水ラインの洗浄は、ライン全体について行ってもよく、伝熱管３ａについてのみ行ってもよい。
【００４５】
冷却水や冷水の水温を計測するには、水温を計測する温度計を伝熱管や配管などの管に差し込むなどして水温を直接に計測してもよいが、冷却水又は冷水配管に温度計を貼付けて測定する方法も可能である。前記温度計は微小な温度差も精度よく計測することができる白金測温抵抗体が好適であるが、これに限定されない。
【００４６】
冷凍機の制御装置に水温データや冷水流量を蓄積する機構があるときはそのデータを採取してもよい。
【００４７】
圧縮機の電流値は、例えばクランプ式の電流値計測器を用いて計測できるが、冷凍機の動力制御盤にテスト端子がある場合は、そこに電流メータを接続して計測してもよい。
【００４８】
上記説明は圧縮式冷凍機に関するものであるが、ガス、燃料油や蒸気などを熱源とした再生器を有する吸収式冷凍システムの場合は、電流のかわりに燃料（ガス、燃料油）や蒸気などの熱源の使用量を消費エネルギー指標値とする。
【００４９】
図５は吸収式冷凍システムの一例を示すフロー図である。
【００５０】
臭化リチウム水溶液などの吸収液が再生器１１で燃料の燃焼熱によって加熱され、水蒸気が発生する。この水蒸気は、凝縮器１２に導入され、冷却水が流通する伝熱管１２ａによって冷却されて凝縮し、水となる。この水が蒸発器１３に導入され、伝熱管１３ａと接触し、気化して水蒸気となる。伝熱管１３ａ内を流れる水は、冷却され、冷水となり、負荷体に循環通水される。蒸発器１３で蒸発した水蒸気は、吸収器１４にて再生器１１からの濃縮吸収液に吸収される。水蒸気を吸収した吸収液はポンプ１５によって再生器１１に返送される。
【００５１】
上記の通り、再生器１１の燃料の使用量が消費エネルギー指標値として用いられる。負荷としては、蒸発器１３の伝熱管１３ａへの流入水温Ｔ５と伝熱管１３ａからの流出冷水水温Ｔ６との差ΔＴ＝Ｔ５−Ｔ６が用いられる。この場合、ΔＴを横軸にとり、燃料使用量を縦軸にとり、データをプロットすると第２図と同様のグラフが得られる。そして、同一ΔＴにおける洗浄前、洗浄後の燃料使用量の差から冷却水ラインの伝熱管１３ａの汚れを監視することができる。冷却水伝熱管１２ａの流入水温と流出水温との温度差を負荷として用いてもよい。
【００５２】
なお、これまでに述べた手順を行う具体的方法として、図４に示すシステムで行うことが好ましい。
【００５３】
冷凍機の負荷にかかわる温度やエネルギーに関する電流などデータの収集手段は様々なものがあるので、例えば、既存の仕組みからそれぞれ収集した結果をデータファイルとして、登録できるようにしたり（オフラインデータ登録用画面）、直接オンライン計測結果を取り込めるようにすることが望ましい。
【００５４】
収集データはデータベース（ＤＢ）に蓄積される。この際、対象冷凍機を特定するための識別コードによって、前記収集データを検索できるように蓄積するのが好ましい。
【００５５】
蓄積データは指標計算処理によって、汚れの指標値に変換され、指標値ＤＢに蓄積される。この際の指標値も時刻（データ期間の日時またはデータ期間の開始／終了日）と対象冷凍機を特定するための識別コードで検索できるように蓄積するのが好ましい。
【００５６】
データ蓄積方法としては、市販のデータロガー装置を適用してもよいが、収集したデータをインターネット経由でサーバーに蓄積し、インターネット経由でデータ確認できる方式を採用してもよい。この方式を用いることにより、現場から離れている場所にいても現場の状況を確認することが可能である。
【符号の説明】
【００５７】
１  冷凍機
２  圧縮機
３  凝縮器
４  膨張弁
５  蒸発器
１１  再生器
１２  凝縮器
１３  蒸発器
１４  吸収器
【図１】
0005757131.tif 000002
【図２】
0005757131.tif 000003
【図３】
0005757131.tif 000004
【図４】
0005757131.tif 000005
【図５】
0005757131.tif 000006